(57)【要約】【課題】  エンジンからの動力をミッションケース内の動力伝達装置を介して耕耘用出力部に伝達してなる管理機において、従来のミッションケースを一部改造する丈で、耕耘出力軸に大きなトルクが作用しても、破損するようなことのない管理機を得る。【解決手段】  耕耘用出力部は、所定回転が伝達される回転部材２８と、該回転部材と一体に連結して一方に回転する第１の出力軸５ａと、該回転部材とベベルギヤＢａを介して連結して他方に回転する第２の出力軸５ｂとを有し、前記ベベルギヤを支持するベベルギヤケースＢに凹部２９ｃを形成し、ミッションケース３にボルト３０を螺合して、該ボルトの頭部３０ａを前記凹部２９ｃに嵌め込むことにより、前記ベベルギヤケースＢを前記ミッションケース３に対して廻り止めしてなる。【選択図】      図４
2006081520.tif 000002
【特許請求の範囲】
【請求項１】
エンジンからの動力をミッションケース内の動力伝達装置を介して耕耘用出力部に伝達してなる管理機において、
前記耕耘用出力部は、所定回転が伝達される回転部材と、該回転部材と一体に連結して一方に回転する第１の出力軸と、該回転部材とベベルギヤを介して連結して他方に回転する第２の出力軸とを有し、
前記ベベルギヤを支持するベベルギヤケースに凹部を形成し、前記ミッションケースにボルトを螺合して、該ボルトの頭部を前記凹部に嵌め込むことにより、前記ベベルギヤケースを前記ミッションケースに対して廻り止めしてなる、
ことを特徴とする管理機。
【発明の詳細な説明】
【技術分野】
【０００１】
本発明は、管理機の動力伝達装置の構成に関する。
【背景技術】
【０００２】
従来より、歩行型の管理機において、エンジンからの動力をミッションケース内の動力伝達装置を介して車軸及び耕耘軸に伝達し、圃場の耕耘作業等を行うようにした技術は既に知られている（特許文献１参照）。
そして、前記耕耘軸の出力部を、所定方向の回転部分とベベルギヤを介して逆回転させる部分とに区分して、作業性の向上を図った技術も知られている。
【０００３】
【特許文献１】特開平８−３１７７０２号公報
【発明の開示】
【発明が解決しようとする課題】
【０００４】
また、この種の小型の歩行型の管理機においては、比較的負荷の少ない圃場において手軽に作業を行えるとの必要性から、軽量化が求められており、そのために、前記特許文献１並びに従来の公知技術のもののミッションケースも、アルミニウム材等の軽量で柔らかい材質のものが採用されている。
【０００５】
そして、前記ミッションケースの切り欠き部に、ベベルギヤを内装するベベルケースを嵌め込んで回転方向の固定を行っていたが、従来技術のものでは、耕耘軸に過負荷がかかった場合に、回転トルクを受けきれず、破損してしまうとの不具合が発生していた。
【０００６】
そこで、本発明は、従来のミッションケースを一部改造する丈で、前記従来の不具合を容易に改善することが出来る管理機を提供することを目的とするものである。
【課題を解決するための手段】
【０００７】
請求項１に係る本発明は、エンジン（２）からの動力をミッションケース（３）内の動力伝達装置（Ｄ）を介して耕耘用出力部に伝達してなる管理機において、
前記耕耘用出力部は、所定回転が伝達される回転部材（２８）と、該回転部材（２８）と一体に連結して一方に回転する第１の出力軸（５ａ）と、該回転部材（２８）とベベルギヤ（Ｂａ）を介して連結して他方に回転する第２の出力軸（５ｂ）とを有し、
前記ベベルギヤ（Ｂａ）を支持するベベルギヤケース（Ｂ）に凹部（２９ｃ）を形成し、前記ミッションケース（３）にボルト（３０）を螺合して、該ボルト（３０）の頭部（３０ａ）を前記凹部（２９ｃ）に嵌め込むことにより、前記ベベルギヤケース（Ｂ）を前記ミッションケース（３）に対して廻り止めしてなる、
ことを特徴とする管理機にある。
【０００８】
なお、上記カッコ内の符号は、図面と対照するためのものであるが、これにより特許請求の範囲に何等影響を及ぼすものではない。
【発明の効果】
【０００９】
本発明によると、鉄製品であるボルトの頭部でベベルギヤケースの回転トルクを受けるので、耕耘出力軸に大きなトルクが作用しても、ベベルギヤケースの廻り止めを確実に行うことができる。
【発明を実施するための最良の形態】
【００１０】
以下、図面に沿って本発明の好ましい実施の形態について説明する。図１は歩行型管理機の全体側面図であり、１は管理機の機体であって、該機体１の中央上部にはエンジン２が備えてあり、該エンジン２の動力を、その下方の前後方向に長いミッションケース３内にある車軸４及びその前方の耕耘軸５に伝達し、図２の要部平面図で明らかな如く、前記車軸４の左右両端側には走行用の車輪６，６を、また、前記耕耘軸５の左右両端側には、ロータリ耕耘装置Ｋを構成する複数の耕耘爪７・，７ａ・を夫々装着して、圃場内での耕耘作業等を行うように構成される。ここで前記耕耘爪７・，７ａ・は、正逆転両用の形状のものが採用されている。
【００１１】
更に、前記ミッションケース３には、後述するように、扇状に広がった部分に凹凸状のプレート８からなる複数のノッチ８ａ，８ｂ・・・８ｚを有するゲージ輪取付け部材９を設けると共に、前記耕耘軸５に臨む前方に向かってゲージ輪１０を取付けている。
【００１２】
更にまた、前記ミッションケース３の後部上方から上方斜め後方に延びる運転操作用のハンドル１１とこれに設けたクラッチレバー１１ａ、前記ハンドル１１に沿うようにして機体１の走行変速や耕耘作業等の切換えを運転操作位置から操作出来るようにした操作レバー１２が延設されている。
【００１３】
なお、前記運転操作用のハンドル１１には中途部に角度調節装置１３があって、運転者が運転操作をし易い状態にハンドル１１取付角度を任意に調節出来る構成となっており、１４は前記操作レバー１２の走行や耕耘作業切換え等の設定位置を表示するレバーガイドであり、１５は前記耕耘装置Ｋの上部や両側部等を覆うロータリカバー、１６の鎖線は、前記耕耘爪７・，７ａ・先端の回転軌跡を夫々示す。
【００１４】
次に、前記ミッションケース３の内部を示す図３の断面図により本発明の動力伝達装置Ｄの構成並びに走行及び耕耘作業時の作動について説明する。ここで、図３（ａ）は、走行側であり、（ｂ）は作業側を夫々示す。
【００１５】
先ず、走行側について説明するに、前記エンジン２からの動力はベルトを介して入力プーリ２０に入って入力軸２１に伝達され、前進時には、前記操作レバー１２に連結されたシフター軸１９を操作することにより、前記入力軸２１のギヤと中間軸２２のギヤとが噛合して、該中間軸２２に動力を伝達し、該中間軸２２のギヤより差動歯車装置２３を介して前記車軸４に動力を伝達するようになっている。
【００１６】
一方、後進時には、前記シフター軸１９を操作することにより、前記入力軸２１のギヤと逆転軸２４のギヤとが噛合して、該逆転軸２４のギヤから前記中間軸２２のギヤに動力が伝達され、該中間軸２２に逆転動力が伝達されることから、前記中間軸２２のギヤが逆回転して、以下前記前進（Ｆ）時と同様に動力伝達するため、その結果、前記車軸４が逆回転して機体１が後進するものである。
【００１７】
また、作業側について説明するに、通常の機体１前進（Ｆ）・作業時には、前記シフター軸１９を操作することにより、前記機体１の前進に加え、前記入力軸２１にある走行時とは別のギヤが、前記中間軸２２に遊嵌された走行時とは別のギヤ２２ａに噛合して動力を伝達し、該ギヤ２２ａと噛合する作業機側中間軸２５のギヤを介して作業機側中間軸２５に動力を伝達し、該作業機側中間軸２５中央部のスプロケット２６よりチェン２７を介して前記耕耘軸５側のスプロケット２８に伝達し、左右一対の差動歯車装置２９ａ，２９ｂを介して耕耘軸５の左右方向に夫々伝達されるものである。
【００１８】
更に、機体１の走行を停止したままで、耕深作業を行うような場合には、前記シフター軸１９を操作することにより、前記入力軸２１の動力を前記中間軸２２に伝達することなく、ギヤ２２ａよりこれに噛合する作業機側中間軸２５のギヤを介して作業機側中間軸２５に伝達し、前記スプロケット２６から前記作業時と同様にスプロケット２８に伝達して耕耘軸５に伝達されるものである。
【００１９】
更にまた、図４は耕耘装置Ｋの要部を示すもので、（ａ）は平断面図（ｂ）は図（ａ）のＡ−Ａ線断面図である。
【００２０】
即ち、耕耘装置Ｋ部分には、チェン２７によりスプロケット２８を通じて耕耘軸５に動力が伝達されるが、耕耘用出力部は図４（ａ）に記載の如く、前記所定回転が伝達される回転部材（スプロケット２８）と、該回転部材（スプロケット２８）と一体に連結して一方に回転する左右両端にある第１の出力軸５ａ，５ａと、該回転部材（スプロケット２８）と左右の作動歯車装置２９ａ，２９ｂを構成するベベルギヤＢａ・・・を介して連結して他方に回転（逆回転）する左右内側にある第２の出力軸５ｂ，５ｂとを有している。
【００２１】
そして、これらのベベルギヤＢａ・・・を支持するベベルギヤケースＢ，Ｂ〔図４（ｂ）参照〕には、側面視で左右両側に凹部２９ｃ，２９ｃが形成されおり、前記ミッションケース３に複数のボルト３０・・・を螺合して、該ボルト３０・・・の頭部３０ａ・・・を前記凹部２９ｃ・・・に嵌め込んで、前記ベベルギヤケースＢに大きなトルクがかかっても、前記複数のボルト３０の頭部３０ａが確りと廻り止めするように構成されているものである。
【００２２】
次に、図５は、前記レバーガイド１４のガイド溝の詳細を示す説明用の平面図であって、レバーガイド１４には前記操作レバー１２が横方向へ自由に移動可能な幅の溝１４ａが穿設されており、左側端部の後進（Ｒ）位置のみは、無意識に操作レバー１２が行かないように溝１４ａを折曲して設けられている。
【００２３】
そして、左側より順に「後進（Ｒ），中立（Ｎ），前進（Ｆ），耕耘＋前進，耕耘」の表示がされていて、前記操作レバー１２を左右方向の各表示位置にセットすることにより、図３で説明した各操作が行えるようになっている。
【００２４】
また、前記ゲージ輪１０の取付け構造の詳細について図６により説明する。即ち、図６（ａ）は全体作用側面図、（ｂ）は要部の平面図、（ｃ）は同上側断面図である。
【００２５】
先ず、前記ゲージ輪１０は、車輪３１と該車輪３１を支持する長い支持部材３２と該支持部材３２に回動自在に連結された側面視で略Ｌ字状を成す握り部材３３とで構成され、前記支持部材３２の車輪３１を装着していない基端側の枢支ピン３４を、前記ミッションケース３に装着したゲージ輪取付け部材９の外郭に開口する凹溝３５に枢支して、ここを中心として車輪３１装着側が、前記ゲージ輪取付け部材９の各ノッチ８ａ，８ｂ・・・８ｚの何れかに係合できるように、前記支持部材３２の中途部に、前記握り部材３３の回動支点となるピン３６が軸支されている。
【００２６】
そして、前記握り部材３３は、通常時には、先端側に装着した係合ピン３７が、巻きスプリング３８の弾性力により、前記各ノッチ８ａ，８ｂ・・・８ｚの何れかに強く係合され、前記握り部材３３のレバー３９の先端側が前記支持部材３２から離れる方向に回動するように、Ｌ字状の曲がり部を前記ピン３６の回動支点としている〔図６（ｂ）（ｃ）参照〕。
【００２７】
従って、ゲージ輪１０の機体１への装着状態を調節して、管理機１の耕耘深さ等を変えたい時には、前記握り部材３３のレバー３９を支持部材３２と共に握って、巻きスプリング３８の弾性力に抗してピン３６部分を回動支点として図６（ｃ）の矢印方向に回動すれば、係合ピン３７がノッチ８ａから外れ、支持部材３２の先端側にある車輪３１装着側が、基端側の枢支ピン３４を中心に回動自在となる。そこで、ゲージ輪１０の取付位置を適宜に設定後、任意の位置でレバー３９を手から放せば、前記係合ピン３７が以前とは別のノッチ８ｂ・・・８ｚ位置に係合し、ゲージ輪１０の高さ位置が変更されるものである。
【００２８】
更に、ゲージ輪１０を機体１から完全に外してしまいたい場合には、前記レバー３９を握ったままで支持部材３２の先端側を回動し、前記ゲージ輪取付け部材９にある端部のノッチ８ｚから前記係合ピン３７を外してレバー３９の握りを放すと共に、支持部材３２の回動支点としての枢支ピン３４を、ゲージ輪取付け部材９の凹溝３５から外すようにすれば、ゲージ輪１０全体を機体１から容易に取外すことが出来るものである。
【００２９】
また、ゲージ輪１０を再び機体１に装着する場合には、前記とは逆に支持部材３２の枢支ピン３４を前記ゲージ輪取付け部材９の凹溝３５に係合すると共に、握り部材３３のレバー３９を握って、係合ピン３７がゲージ輪取付け部材９にある適宜のノッチ８ａ，８ｂ，・・・８ｚに達した位置でレバー３９を手から放せば良い。
【００３０】
要するに、以上の構成のもので、作業者がエンジン２を始動して機体１を走行させながら耕耘作業を行うような場合には、前記ゲージ輪１０の取付位置を所望する耕耘深さに応じて図１の鎖線位置の如くセットすると共に、前記操作レバー１２のレバーガイド１４の位置を耕耘・前進位置にセットして前記と同様にクラッチレバー１１ａを握れば、機体１は耕耘装置Ｋでの正逆転の耕耘作業を行いながら、前進走行を行うものである。
【００３１】
この時、作業圃場によっては、土壌が固かったり、小石等の障害物の噛み込みにより耕耘用出力部のベベルギヤケースＢ部分に大きな回転トルクがかかる場合が発生するが、本発明においては、鉄製品であるボルト３０の頭部３０ａで、前記ベベルギヤケースＢの回転トルクを受けることとなるので、耕耘出力軸に大きなトルクが作用しても、ベベルギヤケースＢの廻り止めを確実に行い、従来製品の如く、この部分が破損するようなことが防止されるものである。
【図面の簡単な説明】
【００３２】
【図１】歩行型管理機の全体側面図。
【図２】同上要部の平面図。
【図３】ミッションケースの内部を示す断面図であって、（ａ）は走行側、（ｂ）は作業側を夫々示す。
【図４】耕耘装置の要部を示すもので、（ａ）は平断面図（ｂ）は図（ａ）のＡ−Ａ線断面図。
【図５】レバーガイドのガイド溝の詳細を示す説明用平面図。
【図６】ゲージ輪の取付構造を示し、（ａ）は全体作用側面図、（ｂ）は要部の平面図、（ｃ）は同上側断面図。
【符号の説明】
【００３３】
１  機体
２  エンジン
３  ミッションケース
４  車軸
５  耕耘軸
５ａ  第１の出力軸
５ｂ  第２の出力軸
１０  ゲージ輪
１４  レバーガイド
２３，２９ａ，２９ｂ  差動歯車装置
２８  スプロケット（回転部材）
２９ｃ  凹部
３０  ボルト
３０ａ  頭部
Ｋ  耕耘装置
Ｄ  動力伝達装置
Ｂ  ベベルギヤケース
Ｂａ  ベベルギヤ
【図１】
2006081520.tif 000003
【図２】
2006081520.tif 000004
【図３】
2006081520.tif 000005
【図４】
2006081520.tif 000006
【図５】
2006081520.tif 000007
【図６】
2006081520.tif 000008